(57)【特許請求の範囲】
【請求項１】
一つ以上の第１突出部が形成された液晶表示モジュールと、
前記液晶表示モジュールをカバーし、前記一つ以上の第１突出部をガイドし、直接締結して固定するためのリアケースの上部まで解放された一つ以上の第１固定部が形成されたリアケースと、
前記リアケースと対向し結合し、前記液晶表示モジュールを固定するための一つ以上の第２突出部が形成されたフロントケースとを含み、
前記液晶表示モジュールは、
光を発生するためのバックライトアセンブリと、
前記光に応答し映像を表示するためのディスプレーユニットと、
前記バックライトアセンブリ及び前記ディスプレーユニットを収納するためのモールドフレームと、
互いに対向する第１及び第２側壁に所定高さで突出する前記一つ以上の第１突出部が形成され、前記モールドフレームに対向して結合し、前記ディスプレーユニット及び前記バックライトアセンブリを固定するためのトップシャーシとを含み、
前記一つ以上の第１固定部は前記トップシャーシの第１及び第２側壁に各々対応する前記リアケースの第３及び第４側壁に形成され、
前記一つ以上の第１固定部は前記リアケースの第３及び第４側壁の上端から前記リアケースの基底面に向かって延びて形成された第１固定溝、および前記リアケースの基底面と平行であり、前記第１固定溝の前記リアケースの基底面側端部から前記第１固定溝側面を前記リアケースの第３及び第４側壁の間に位置する第５側壁に向かって延びて形成された第２固定溝から成り、
前記液晶表示モジュールは前記トップシャーシの第１突出部が前記リアケースの第１固定溝に収納された後、前記リアケースの第２固定溝内にスライディングされることにより、前記リアケースと結合され、
前記一つ以上の第２突出部は前記リアケースの第３及び第４側壁と対応する前記フロントケースの第１及び第２上部面から突出し、前記リアケースの一つ以上の第１固定溝に収納されることを特徴とする液晶表示装置。
【請求項２】
前記フロントケースの前記一つ以上の第２突出部の基底面は前記リアケースの前記一つ以上の第１固定溝の基底面と直接に接触することを特徴とする請求項１に記載の液晶表示装置。
【請求項３】
前記リアケースの第５側壁と対向する第６側壁側に位置する前記フロントケースの第３上部面には前記リアケースの基底面に向かって所定高さで突出された第３突出部がさらに形成されることを特徴とする請求項１に記載の液晶表示装置。
【請求項４】
前記フロントケースの前記第３突出部は前記リアケースの第６側壁と前記液晶表示モジュールとの離隔空間に収納され、前記第３突出部の基底面が前記リアケースの基底面と直接に接触されることを特徴とする請求項３に記載の液晶表示装置。
【請求項５】
前記リアケースの第５側壁と対応する前記トップシャーシの第７側壁に前記リアケースの第５側壁に向かって所定高さで突出された第４突出部をさらに具備することを特徴とする請求項１に記載の液晶表示装置。
【請求項６】
前記リアケースの第５側壁には前記リアケースに収納された前記液晶表示モジュール側から前記リアケースの第５側壁に向かうように形成された第３固定溝を含む一つ以上の第２固定部が形成されることを特徴とする請求項５に記載の液晶表示装置。
【請求項７】
前記液晶表示モジュールは前記リアケースの第５側壁にスライディングされるとき、前記トップシャーシの第４突出部が前記リアケースの第２固定部に形成された前記第３固定溝に収納されることにより固定されることを特徴とする請求項６に記載の液晶表示装置。
【請求項８】
前記リアケースの第６側壁及び基底面から延びて突出された第１及び第２ぶら下がり（ｓｕｓｐｅｎｄｉｎｇ）突起が形成されることを特徴とする請求項１に記載の液晶表示装置。
【請求項９】
前記第１及び第２ぶら下がり突起は、前記第６側壁から前記液晶表示モジュール側に行くほど高さが段々低くなる階段状を有することを特徴とする請求項８に記載の液晶表示装置。
【請求項１０】
前記第１及び第２ぶら下がり突起の前記第６側壁から前記第５側壁に向かっての長さは、前記液晶表示モジュールと前記第６側壁との間の離隔空間の幅と同一であることを特徴とする請求項９に記載の液晶表示装置。
【請求項１１】
前記トップシャーシの第８側壁の所定部分が前記前記第１及び第２ぶら下がり突起の端部と係合することを特徴とする請求項１０に記載の液晶表示装置。
【請求項１２】
前記一つ以上の固定部は前記リアケースの第３及び第４側壁の上端から前記リアケースの基底面に向かって延びて形成された第３固定溝であることを特徴とする請求項１に記載の液晶表示装置。
【請求項１３】
前記一つ以上の第２突出部は前記リアケースの第３及び第４側壁と対応する前記フロントケースの第１及び第２上部面から前記第３固定溝の高さから前記トップシャーシの第１突出部の高さを差し引いた高さで突出され形成されたことを特徴とする請求項１２に記載の液晶表示装置。
【請求項１４】
一つ以上の第１突出部が形成された液晶表示モジュールと、
前記液晶表示モジュールをカバーし、前記一つ以上の第１突出部をガイドし、直接締結して固定するためのリアケースの上部まで解放された一つ以上の第１固定部が形成されたリアケースと、
前記リアケースと対向し結合し、前記液晶表示モジュールを固定するための一つ以上の第２突出部が形成されたフロントケースとを含み、
前記液晶表示モジュールは、
光を発生するためのバックライトアセンブリと、
前記光に応答し映像を表示するためのディスプレーユニットと、
前記バックライトアセンブリ及び前記ディスプレーユニットを収納するためのモールドフレームと、
互いに対向する第１及び第２側壁に所定高さで突出する前記一つ以上の第１突出部が形成され、前記モールドフレームに対向して結合し、前記ディスプレーユニット及び前記バックライトアセンブリを固定するためのトップシャーシとを含み、
前記一つ以上の第１固定部は前記トップシャーシの第１及び第２側壁に各々対応する前記リアケースの第３及び第４側壁に形成され、
前記一つ以上の第１固定部は前記リアケースの第３及び第４側壁の上端から前記リアケースの基底面に向かって延びて形成された第３固定溝であり、
前記一つ以上の第２突出部は、前記リアケースの第３及び第４側壁と対応する前記フロントケースの第１及び第２上部面から前記第３固定溝の高さから前記トップシャーシの第１突出部の高さを差し引いた高さで突出され、
前記液晶表示モジュールは前記第３固定溝の下部に収納された前記トップシャーシの第１突出部及び第３固定溝の上部に収納された前記トップシャーシの第１突出部を加圧する前記フロントケースの第２突出部により前記リアケースと結合されることを特徴とする液晶表示装置。
【請求項１５】
前記第３固定溝の高さは前記トップシャーシの第１突出部及び前記フロントケースの第２突出部の高さの和と実質的に同一であることを特徴とする請求項１４に記載の液晶表示装置。
【請求項１６】
第１突出部及び第５突出部が形成された液晶表示モジュールと、
前記液晶表示モジュールをカバーし、前記第１突出部をガイドし収納するためリアケースの上部まで解放された固定溝、及び前記第５突出部と結合し前記液晶表示モジュールを固定するための固定突起が形成されたリアケースとを含み、
前記リアケースと対向し結合するフロントケースを更に含み、前記リアケースの第３及び第４側壁と対応する前記フロントケースの第１及び第２上部面には、前記リアケースの基底面に向かって所定高さで突出された第３突出部が形成され、
前記フロントケースの前記第３突出部は前記リアケースの固定溝に収納され、前記第３突出部の基底面は前記リアケースの前記固定溝の基底面と直接に接触することを特徴とする液晶表示装置。
【請求項１７】
前記液晶表示モジュールは、
光を発生するためのバックライトアセンブリと、
前記光に応答し映像を表示するためのディスプレーユニットと、
前記バックライトアセンブリ及び前記ディスプレーユニットを収納するためのモールドフレームと、
互いに対向する第１及び第２側壁から所定高さで突出し、前記第１突出部及び第５突出部が各々形成され、前記モールドフレームと対向して結合し、前記ディスプレーユニット及び前記バックライトアセンブリを固定するためのトップシャーシを含むことを特徴とする請求項１６に記載の液晶表示装置。
【請求項１８】
前記固定溝は前記トップシャーシの第１及び第２側壁に各々形成された前記第１突出部と対応する前記リアケースの第３及び第４側壁に形成されることを特徴とする請求項１７に記載の液晶表示装置。
【請求項１９】
前記固定溝は前記リアケースの第３及び第４側壁の上端から前記リアケースの基底面に向かって延びて形成された第１固定溝及び前記リアケースの基底面と平行に、前記リアケースの第５側壁に向かって前記第１固定溝から延びて形成された第２固定溝から成ることを特徴とする請求項１８に記載の液晶表示装置。
【請求項２０】
前記液晶表示モジュールは前記トップシャーシの第１突出部が前記リアケースの第１固定溝に収納された後、前記リアケースの第２固定溝内にスライディングされることにより、前記リアケースと結合されることを特徴とする請求項１９に記載の液晶表示装置。
【請求項２１】
前記固定突起は、前記トップシャーシの第１及び第２側壁に各々形成された前記第５突出部と対応する前記リアケースの第３及び第４側壁に各々形成され、各固定突起は互いに対向する側壁に向かって所定高さで突出して形成された支持部と、前記支持部の端部から前記第３及び第４側壁と所定の距離を維持し、前記第５側壁に延びて形成された胴体部と、前記胴体部から突出して形成され、前記第５側壁に進行し収納された前記トップシャーシの第５突出部と向き合って、前記液晶表示モジュールの移動を防止するためのぶら下がり部とから成ることを特徴とする請求項１６に記載の液晶表示装置。
【請求項２２】
前記ぶら下がり部は前記リアケースの第５側壁に進行するほど幅が広くなるスロープ形状を有することを特徴とする請求項１７に記載の液晶表示装置。
【発明の詳細な説明】
【０００１】
【発明の属する技術分野】
本発明は液晶表示装置に関するものであり、より詳細には、液晶表示モジュールとケースの結合力を向上させることができるノートブック用液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用したディスプレーである。
【０００４】
このような、液晶表示装置の大きさは使用者の要求により段々大型化され、これに対応し液晶表示モジュール及び液晶表示モジュールを実装するためのケースもまた大型化されている。だから、液晶表示モジュールの大きさの大型化と液晶表示装置の軽量及び小型化を満足させるために、液晶表示モジュール及びケースの結合構造及び液晶表示モジュールを構成している部材のレイアウトにおいて、連続的に研究が進行されている。
【０００５】
特に、液晶表示モジュールとケースの結合のための実装構造において、液晶表示モジュールとケースの結合により生じる結合空間領域が重要な問題になっている。
【０００６】
図１は従来の液晶表示装置の実装構造を示した斜視図である。
【０００７】
図１を参照すると、液晶表示装置６０は映像を表示するための液晶表示モジュール３０及び前記液晶表示モジュール３０をカバーするためのフロントケース（図示せず）及びリアケース４０から成る。
【０００８】
前記液晶表示モジュール３０は、映像を表示するためのディスプレーユニット、前記ディスプレーユニットに光を供給するためのバックライトアセンブリ、前記ディスプレーユニット及びバックライトアセンブリを収納するモールドフレーム、及び前記モールドフレームと対向し結合し、前記ディスプレーユニット及びバックライトアセンブリを固定するトップシャーシを含む。前記モールドフレームに前記バックライトアセンブリ及びディスプレーユニットが順次に定着されると、前記トップシャーシが前記モールドフレームと対向し結合する。
【０００９】
このような、液晶表示モジュール３０をリアケース４０に装着するためには、トップ実装方式が使用される。具体的に、前記液晶表示モジュール３０のトップシャーシ１０の四つ角には第１乃至第４ねじ結合ホール１１ａ、１２ａ、１３ａ、１４ａが各々形成された第１乃至第４実装部１１、１２、１３、１４が所定長さに突出され各々形成される。前記トップシャーシ１０の第１乃至第４実装部１１、１２、１３、１４と対応する前記リアケース４０の四つ角には前記第１乃至第４ねじ結合ホール１１ａ、１２ａ、１３ａ、１４ａと対応する第１乃至第４バーリング４１、４２、４３、４４が形成される。
【００１０】
前記トップシャーシ１０の前記第１乃至第４ねじ結合ホール１１ａ、１２ａ、１３ａ、１４ａが前記リアケース４０の第１乃至第４バーリング４１、４２、４３、４４と対応した状態で、前記第１乃至第４ねじ１１ｂ、１２ｂ、１３ｂ、１４ｂが前記第１乃至第４ねじ結合ホール１１ａ、１２ａ、１３ａ、１４ａを各々貫通し、前記第１乃至第４バーリング４１、４２、４３、４４に結合されることにより、前記液晶表示モジュール３０が前記リアケース４０に固定される。
【００１１】
しかし、このようなトップ実装方式では次のような問題点が発生される。
【００１２】
第一に、前記液晶表示モジュール３０及びケース４０がねじ結合されるために、液晶表示装置６０の組立工程回数が増加する。従って、液晶表示装置６０を組立てる作業能率が低下し、製品の生産性が低下する。
【００１３】
第二に、前記液晶表示モジュール３０とケース４０を結合するためのねじなどの部品が追加的に使用されるために、液晶表示装置６０の製造費用が上昇し生産性が低下する。
【００１４】
第三に、前記トップシャーシ１０の側壁から外側へ延びて形成された第１乃至第４実装部１１、１２、１３、１４により前記液晶表示装置６０のサイズが前記第１乃至第４実装部１１、１２、１３、１４が突出された長さの分増加する。
【００１５】
【発明が解決しようとする課題】
本発明の第１目的は、液晶表示モジュールとケースとの結合力を向上させることができる液晶表示装置を提供することにある。
【００１６】
本発明の他の目的は、液晶表示装置の部品数を減らし生産性を向上させることができる液晶表示装置を提供することにある。
【００１７】
【発明の解決するための手段】
上述した本発明の目的を達成するための液晶表示装置は、一つ以上の第１突出部が形成された液晶表示モジュールと、前記液晶表示モジュールをカバーし、前記一つ以上の第１突出部をガイドし、直接締結して固定するためのリアケースの上部まで解放された一つ以上の第１固定部が形成されたリアケースと、前記リアケースと対向し結合し、前記液晶表示モジュールを固定するための一つ以上の第２突出部が形成されたフロントケースとを含む。
【００１８】
前記液晶表示モジュールは、光を発生するためのバックライトアセンブリと、前記光に応答し映像を表示するためのディスプレーユニットと、前記バックライトアセンブリ及びディスプレーユニットを収納するためのモールドフレームと、互いに対向する第１及び第２側壁に所定高さで突出する前記一つ以上の第１突出部が形成され、前記モールドフレームに対向し結合し、前記ディスプレーユニット及びバックライトアセンブリを固定するためのトップシャーシとを含む。
【００１９】
前記リアケースに形成された一つ以上の第１固定部は前記リアケースの第３及び第４側壁に形成される。この時、前記一つ以上の第１固定部は、前記リアケースの第３及び第４側壁の上端から前記リアケースの基底面に向かって延びて形成された第１固定溝、およびリアケースの基底面と平行であり、前記第１固定溝の前記リアケースの基底面側端部から前記第１固定溝側面を前記リアケースの第３及び第４側壁との間に位置する第５側壁に向かって前記第１固定溝から延びて形成された第２固定溝から成る。
【００２０】
前記液晶表示モジュールは、前記トップシャーシの第１突出部が前記リアケースの第１固定溝に収納された後、前記リアケースの第２固定溝内にスライディングされ前記リアケースと結合される。
【００２１】
前記フロントケースの一つ以上の第２突出部は、前記リアケースの第３及び第４側壁と対応する前記フロントケースの第１及び第２上部面から突出して形成され、前記リアケースの一つ以上の第１固定溝に収納される。この時、前記一つ以上の第２突出部の基底面は前記リアケースの前記一つ以上の第１固定溝の基底面と直接に接触する。
【００２２】
また、前記トップシャーシは、前記リアケースの第５側壁と対応する前記トップシャーシの第７側壁に前記リアケースの第５側壁に向かって所定高さで突出された第４突出部をさらに具備する。一方、前記リアケースの第５側壁には、前記リアケースに収納された前記液晶表示モジュール側から前記リアケースの第５側壁に向かうように形成された第３固定溝を含む一つ以上の第２固定部が形成される。従って、前記液晶表示モジュールは前記リアケースの第５側壁にスライディングされるとき、前記トップシャーシの第４突出部が前記リアケースの第２固定部に形成された前記第３固定溝に収納されることにより固定される。
【００２３】
上述した他の目的を達成するための本発明による液晶表示装置は、第１突出部及び第５突出部が形成された液晶表示モジュールと、前記液晶表示モジュールをカバーし、前記第１突出部をガイドし収納するためのリアケースの上部まで解放された固定溝、及び前記第５突出部と結合し、前記液晶表示モジュールを固定するための固定突起が形成されたリアケースとを含み、前記リアケースと対向し結合するフロントケースを更に含み、前記リアケースの第３及び第４側壁と対応する前記フロントケースの第１及び第２上部面には、前記リアケースの基底面に向かって所定高さで突出された第３突出部が形成され、前記フロントケースの前記第３突出部は前記リアケースの固定溝に収納され、前記第３突出部の基底面は前記リアケースの前記固定溝の基底面と直接に接触することを特徴とする。
【００２４】
前記液晶表示モジュールは、光を発生するためのバックライトアセンブリと、前記光に応答し映像を表示するためのディスプレーユニットと、前記バックライトアセンブリ及びディスプレーユニットを収納するためのモールドフレームと、互いに対向する第１及び第２側壁から所定高さで突出し、前記第１突出部及び第２突出部が各々形成され、前記モールドフレームと対抗し結合し、前記ディスプレーユニット及び前記バックライトアセンブリを固定するためのトップシャーシを含む。
【００２５】
前記リアケースの固定溝は、前記トップシャーシの第１及び第２側壁に各々形成された前記第１突出部と対応する前記リアケースの第３及び第４側壁に形成される。この時、前記リアケースの固定溝は前記リアケースの第３及び第４側壁の上端から前記リアケースの基底面に延びて形成された第１固定溝、及び前記リアケースの基底面と平行に、前記リアケースの第５側壁に向かって前記第１固定溝から延びて形成された第２固定溝から成る。
【００２６】
前記液晶表示モジュールは、前記トップシャーシの第１突出部が前記リアケースの第１固定溝に収納された後、前記リアケースの第２固定溝内にスライディングされ、前記リアケースと結合される。
【００２７】
前記リアケースの固定突起は、前記トップシャーシの第１及び第２側壁に各々形成された前記第２突出部と対応する前記リアケースの第３及び第４側壁に各々形成される。また、各固定突起は互いに対向する側壁に向かって所定高さで突出して形成された支持部、前記支持部の端部から前記第３及び第４側壁と所定の距離を維持し、前記第５側壁に延びて形成された胴体部、前記胴体部から突出して形成され、前記第５側壁に進行し収納された前記トップシャーシの第２突出部と向き合って、前記液晶表示モジュールの移動を防止するためのぶら下がり部（ｓｕｓｐｅｎｄｉｎｇ  ｐｏｒｔｉｏｎ）から成る。
【００２８】
このような、液晶表示装置によると、前記液晶表示モジュールは前記トップシャーシに形成された一つ以上の突出部と前記リアケースに形成された一つ以上の固定部が結合されることにより、前記リアケースに固定され、また、前記フロントケースの固定突起によりさらに確実に固定される。
【００２９】
従って、前記液晶表示モジュール及びケースの結合力を向上させることができ、前記液晶表示モジュール及びケースを組立てるために利用される部品数を減らし生産性を向上させることができる。
【００３０】
【発明の実施の形態】
以下、図面を参照して本発明の望ましい実施形態をより詳細に説明する。
【００３１】
図２は本発明の望ましい一実施形態による液晶表示装置の分解斜視図である。図３は図２に図示されたトップシャーシの構造を具体的に示した平面図であり、図４は図２に図示されたリアケースの構造を具体的に示した平面図であり、図５は図２に図示されたフロントケースの構造を具体的に示した平面図である。図６は図５に図示されたフロントケースの切開斜視図である。
【００３２】
図２を参照すると、液晶表示装置６００は映像を表示するための液晶表示モジュール３００及び液晶表示モジュール３００をカバーするためのフロント及びリアケース５００、４００から成る。
【００３３】
前記液晶表示モジュール３００は映像を表示するためのディスプレーユニット３１０、前記ディスプレーユニット３１０の下部に配置され、前記ディスプレーユニット３１０に光を供給するためのバックライトアセンブリ３６０を含む（図８を参照）。前記ディスプレーユニット３１０及びバックライトアセンブリ３６０はモールドフレーム２００に収納される。また、前記モールドフレーム２００と対向し結合し、前記ディスプレーユニット３１０及びバックライトアセンブリ３６０を固定するためのトップシャーシ１００が提供される。
【００３４】
具体的に、前記モールドフレーム２００に前記バックライトアセンブリ３６０及びディスプレーユニット３１０が順次収納されると、前記ディスプレーユニット３１０の上部に前記トップシャーシ１００が提供される。前記トップシャーシ１００は全体として矩形に形成されており、その断面はＬ字形状に形成される。このような前記トップシャーシ１００は、前記ディスプレーユニット３１０の有効ディスプレー領域を除外した残りの上部を取囲むようにカバーし、四つの側壁の内側が前記モールドフレーム２００の側壁の外側と各々対向するように前記モールドフレーム２００と結合される。
【００３５】
図２及び図３に示したように、前記トップシャーシ１００は第１乃至第４側壁１１０、１２０、１３０，１４０を有する。前記トップシャーシ１００の第１側壁１１０には所定高さに突出された第１乃至第３突起１１１、１１２、１１３が形成され、前記第１側壁１１０と対向する第２側壁１２０には所定高さに突出された第４乃至第６突起１２１、１２２、１２３が形成される。また、前記第１及び第２側壁１１０、１２０との間に位置する前記第３側壁１３０には第７及び第８突起１３１、１３２が形成される。前記第１乃至第８突起１１１、１１２、１１３、１２１、１２２、１２３、１３１、１３２は、前記トップシャーシ１００の第１乃至第３側壁１１０、１２０、１３０の所定部分に切れ目を入れた後、その部分を突出させることにより形成される。この時、前記第１乃至第８突起１１１、１１２、１１３、１２１、１２２、１２３、１３１、１３２は、前記フロント及びリアケース５００、４００側から見て、半円形、台形又は矩形の形態を有するように形成される。望ましくは、第１乃至第８突起１１１、１１２、１１３、１２１、１２２、１２３、１３１、１３２は台形の形状を有する。
【００３６】
図２及び図４を参照すると、前記リアケース４００は第５乃至第８側壁４１０、４２０、４３０、４４０及び第５乃至第８側壁４１０、４２０、４３０、４４０により取り囲まれた基底面４５０からなる。また、前記リアケース４００の前記基底面４５０と対向する面は開口されている。この時、前記トップシャーシ１００の第１側壁１１０と対向し結合される前記リアケース４００の第５側壁４１０には、所定高さに突出された第１乃至第３突出部４１１、４１２、４１３が形成される。また、前記トップシャーシ１００の第２側壁１２０と対向し結合される前記リアケース４００の第６側壁４２０には所定高さに突出された第４乃至第６突出部４２１、４２２、４２３が形成される。また、前記トップシャーシ１００の第３側壁１３０と対向し結合される前記リアケース４００の第７側壁４３０には、所定高さに突出された第７及び第８突出部４３１、４３２が形成される。
【００３７】
前記第１乃至第６突出部４１１、４１２、４１３、４２１、４２２、４２３には、前記トップシャーシ１００の第１及び第２側壁１１０、１２０に各々形成された前記第１乃至第６突起１１１、１１２、１１３、１２１、１２２、１２３と対応し結合するための第１乃至第６固定溝４１１ａ、４１２ａ、４１３ａ、４２１ａ、４２２ａ、４２３ａが各々形成される。また、前記第１乃至第６突出部４１１、４１２、４１３、４２１、４２２、４２３には第７乃至第１２固定溝４１１ｂ、４１２ｂ、４１３ｂ、４２１ｂ、４２２ｂ、４２３ｂが各々形成される。この時、前記第１乃至第６固定溝４１１ａ、４１２ａ、４１３ａ、４２１ａ、４２２ａ、４２３ａは、前記リアケース４００の第５及び第６側壁４１０、４２０の上端から前記リアケース４００の基底面に向かうように形成される。また、第７乃至第１２固定溝４１１ｂ、４１２ｂ、４１３ｂ、４２１ｂ、４２２ｂ、４２３ｂは、前記リアケース４００の基底面と平行に、前記第１乃至第６固定溝４１１ａ、４１２ａ、４１３ａ、４２１ａ、４２２ａ、４２３ａから第７側壁４３０に向かうように形成される。前記第７乃至第１２固定溝４１１ｂ、４１２ｂ、４１３ｂ、４２１ｂ、４２２ｂ、４２３ｂは前記第１乃至第６突出部４１１、４１２、４１３、４２１、４２２、４２３の上端が塞がるように形成される。
【００３８】
前記リアケース４００の第７側壁４３０に形成された第７及び第８突出部４３１、４３２には前記トップシャーシ１００の第３側壁１３０に形成された第７及び第８突起１３１、１３２と対応し結合するための第１３及び第１４固定溝４３１ａ、４３２ａが各々形成される。
【００３９】
一方、前記リアケース４００は前記第８側壁４４０及び基底面４５０から延びて突出された第１及び第２ぶら下がり（ｓｕｓｐｅｎｄｉｎｇ）突起４４１、４４２を有する。前記第１及び第２ぶら下がり突起４４１、４４２については後述する。
【００４０】
図５及び図６を参照すると、前記フロントケース５００は前記リアケース４００の第５乃至第８側壁４１０、４２０、４３０、４４０と対向し結合される四つの側壁及び前記液晶表示モジュール３００の非有効ディスプレー領域をカバーするための第１乃至第４上部面５１０、５２０、５３０、５４０を有する。また、前記液晶表示モジュール３００の有効ディスプレー領域と対応する前記フロントケース５００の領域は開口される。
【００４１】
前記フロントケース５００の第１上部面５１０、即ち、前記リアケース４００の第８側壁４４０側に位置する前記フロントケース５００の第１上部面５１０には第１２及び第１３突起５１１、５１２が形成される。前記第１２及び第１３突起５１１、５１２は前記リアケース４００の基底面４５０から前記第８側壁４４０の上端までの高さと同じ高さを有するように形成され、これに関しては断面図を参照し後述する。
【００４２】
図７はトップシャーシ及びリアケースの結合状態を示した平面図であり、図８は結合された状態のトップシャーシ及びリアケースをＣ１−Ｃ２で切断した断面図である。図９は図７にフロントケースが結合された状態を示す平面図である。
【００４３】
図７を参照すると、前記リアケース４００に前記液晶表示モジュール３００が収納されるとき、前記トップシャーシ１００の第１側壁１１０に形成された第１乃至第３突起１１１、１１２、１１３は、前記リアケース４００の第５側壁４１０に形成された第１乃至第３固定溝４１１ａ、４１２ａ、４１３ａに各々収納される。また、前記トップシャーシ１００の第２側壁１２０に形成された第４乃至第６突起１２１、１２２、１２３は前記リアケース４００の第６側壁４２０に形成された第４乃至第６固定溝４２１ａ、４２２ａ、４２３ａに各々収納される。
【００４４】
その後、前記第１乃至第６突起１１１、１１２、１１３、１２１、１２２、１２３は前記第７乃至第１２固定溝４１１ｂ、４１２ｂ、４１３ｂ、４２１ｂ、４２２ｂ、４２３ｂに沿って前記リアケース４００の第７側壁４３０側に移動し、前記第７乃至第１２固定溝４１１ｂ、４１２ｂ、４１３ｂ、４２１ｂ、４２２ｂ、４２３ｂに収納される。この時、前記トップシャーシ１００の第３側壁１３０に形成された第７及び第８突起１３１、１３２は前記リアケース４００の第７側壁４３０に形成された第１３及び第１４固定溝４３１ａ、４３２ａと各々結合される。
【００４５】
前記液晶表示モジュール３００が前記リアケース４００の第７側壁４３０側に移動し前記リアケース４００と結合されると、前記リアケース４００の第８側壁４４０と前記トップシャーシ１００の第４側壁１４０との間には、離隔空間（Ａ）が形成される。
【００４６】
図８を参照すると、前記第１及び第２ぶら下がり突起４４１、４４２は、前記リアケース４００の第８側壁４４０から前記液晶表示モジュール３００側に向かって、前記リアケース４００の基底面４５０に沿って延びて形成される。前記第１及び第２ぶら下がり突起４４１、４４２は、前記第８側壁４４０から前記液晶表示モジュール３００側に行くほど高さが段々低くなる階段形状を有する。前記第１及び第２ぶら下がり突起４４１、４４２の全体的な幅は、前記液晶表示モジュール３００と前記リアケース４００の第８側壁４４０との間の離隔空間（Ａ）の幅（ｗ１）と同一である。従って、前記液晶表示モジュール３００が前記リアケース４００に収納された後、液晶表示モジュール３００が前記リアケース４００の第７側壁４３０側に移動すると、前記液晶表示モジュール３００の一端部は前記リアケース４００の第１及び第２ぶら下がり突起４４１、４４２に沿って移動する。この時、前記液晶表示モジュール３００が完全に移動すると、前記トップシャーシ１００の第４側壁１４０の所定部分が前記第１及び第２ぶら下がり突起４４１、４４２の端部と係合することにより、前記液晶表示モジュール３００が前記リアケース４００の第８側壁４４０側に移動されることが防止される。
【００４７】
図９に示したように、前記液晶表示モジュール３００が前記リアケース４００に収納された状態で前記フロントケース５００が前記リアケース４００と対向し結合される。この時、前記フロントケース５００の前記第１２及び第１３突起５１１、５１２は前記リアケース４００と前記トップシャーシ１００との間の離隔空間（Ａ）に挿入される。前記第１２及び第１３突起５１１、５１２の幅は前記離隔空間（Ａ）の幅（ｗ１）と実質的に同一に形成され、前記第１２及び第１３突起５１１、５１２は前記離隔空間（Ａ）に押し込まれる。従って、前記第１２及び第１３突起５１１、５１２により、前記液晶表示モジュール３００が前記離隔空間（Ａ）に移動することが防止される。
【００４８】
図１０乃至図１２はトップシャーシ及びリアケースの結合過程を示した部分切開斜視図であり、図１３及び図１４はトップシャーシ及びリアケースの結合過程を示した断面図である。
【００４９】
図１０乃至図１４を参照すると、前記リアケース４００の第６側壁４２０に形成された前記第５突出部４２２は、前記第６側壁４２０の上端から前記リアケース４００の基底面４５０に向かうように形成された第５固定溝４２２ａ、及び基底面４５０と平行に、前記リアケース４００の第５固定溝４２２ａから第７側壁４３０に向かうように形成された第１１固定溝４２２ｂを有する。この時、前記第５固定溝４２２ａの高さは前記第１１固定溝４２２ｂの高さより大きく形成される。
【００５０】
前記リアケース４００の前記第６側壁４２０と対向する前記トップシャーシ１００の第２側壁１２０には、トップシャーシ１００がリアケース４００と結合するときに前記リアケース４００の第６側壁４２０に向かって所定高さに突出された第５突起１２２が形成される。前記第５突起１２２は、前記トップシャーシ１００の第２側壁１２０に前記リアケース４００の基底面４５０と平行に切れ目を入れ、切れ目を入れた部分を、トップシャーシ１００がリアケース４００に収容されたときに前記リアケース４００の第６側壁４２０に向かって突出させることにより形成される。
【００５１】
前記トップシャーシ１００が前記リアケース４００に収納されると、前記トップシャーシ１００の第５突起１２２は前記リアケース４００の第５固定溝４２２ａに挿入される。前記第５突起１２２が前記第５固定溝４２２ａの基底面と接すると、前記液晶表示モジュール３００は前記リアケース４００の第７側壁４３０の方へ移動される。この時、前記第５突起１２２が前記第１１固定溝４２２ｂに結合されることにより、前記液晶表示モジュール３００が前記リアケース４００に固定される。即ち、前記第５突起１２２は前記第１１固定溝４２２ｂに隣接する前記第５突出部４２２の上端により固定され、前記液晶表示モジュールが前記リアケースの開口された面に離脱されることを防止する。
【００５２】
このようにして、前記リアケース４００に収納された前記液晶表示モジュール３００が前記リアケース４００の開口された面を通じて離脱されることが防止される。
【００５３】
図１５は図７に図示されたトップシャーシ及びリアケースの結合構造をＡ１−Ａ２線で切断した断面図であり、図１６は図９に図示された液晶表示装置の結合構造をＢ１−Ｂ２線で切断した断面図である。
【００５４】
図１５を参照すると、前記モールドフレーム２００には、まず、前記バックライトアセンブリ３６０が収納される。具体的に、前記モールドフレーム２００の基底面には、反射板３４０が収納され、その上に導光板３３０が収納される。前記導光板３３０上には光学シート類３５０が収納される。このように、バックライトアセンブリ３６０が前記モールドフレーム２００に収納されると、その上にディスプレーユニット３１０が収納される。
【００５５】
前記バックライトアセンブリ３６０及びディスプレーユニット３１０が前記モールドフレーム２００に収納されると、前記バックライトアセンブリ３６０及びディスプレーユニット３１０を前記モールドフレーム２００に固定するためのトップシャーシ１００が提供される。前記トップシャーシ１００は前記モールドフレーム２００と対向し結合される。従って、前記液晶表示モジュール３００が完成される。
【００５６】
このように、完成された前記液晶表示モジュール３００は前記リアケース４００に収納される。この時、前記トップシャーシ１００の第２側壁１２０に形成された前記第６突起１２３は前記リアケース４００の第６側壁４２０に形成された第６突出部４２３と結合される。即ち、前記トップシャーシ１００の第６突起１２３は前記リアケース４００の第６固定溝４２３ａに沿って前記第１２固定溝４２３ｂ内に移動し結合される。従って、前記液晶表示モジュール３００は、前記リアケース４００の開口された面を通って離脱しないように、リアケース４００に固定される。
【００５７】
図１６を参照すると、前記液晶表示モジュール３００が前記リアケース４００に収納された後、前記フロントケース５００は前記リアケース４００と対向し結合される。前記第１２突起は前記フロントケース５００の第１上部面５１０に形成される。前記第１２突起５１１は、フロントケース５００をリアケース４００に結合したときに前記第１上部面５１０から前記リアケース４００の基底面に向かうように突出し、前記液晶表示モジュール３００と前記リアケース４００との間の離隔空間（Ａ）の幅（ｗ１）と実質的に同一の幅を有する。また、前記第１２突起５１１の高さは前記リアケース４００の基底面４５０から前記第８側壁４４０の上端までの高さと同一である。
【００５８】
前記液晶表示モジュール３００が前記リアケース４００に収納されると、前記液晶表示モジュール３００は前記リアケース４００の第７側壁４３０側に移動し結合される。この時、前記リアケース４００の第８側壁４４０と前記トップシャーシ１００の第４側壁１４０との間には、離隔空間（Ａ）が形成される。前記離隔空間（Ａ）には前記フロントケース５００の第１上部面５１０に形成された第１２突起５１１が挿入される。従って、前記液晶表示モジュール３００が前記リアケース４００の第８側壁４４０側に移動することが防止される。
【００５９】
図１７は本発明によるフロントケースの他の実施形態を示した平面図であり、図１８及び図１９は図１７に図示されたフロントケースの結合構造を具体的に示した断面図である。
【００６０】
図１７を参照すると、前記フロントケース５００の第１及び第２上部面５１０、５２０を除外した残りの上部面、即ち、第３及び第４上部面５３０、５４０には、各々、フロントケース５００をリアケース４００に結合したときにリアケース４００の基底面の方に向かう第１４乃至第１９突起５３１、５３２、５３３、５４１、５４２、５４３が形成される。前記第１４乃至第１９突起５３１、５３２、５３３、５４１、５４２、５４３は前記リアケース４００の第１乃至第６固定溝４１１ａ、４１２ａ、４１３ａ、４２１ａ、４２２ａ、４２３ａと各々対応する位置に形成される。また、前記第１４乃至第１９突起５３１、５３２、５３３、５４１、５４２、５４３は前記フロントケース５００の側壁から前記リアケース４００の第５及び第６側壁４１０、４２０の厚さに相当する距離だけ離隔して形成される。
【００６１】
図１８及び図１９に示したように、前記リアケース４００に前記液晶表示モジュール３００が収納された後、前記フロントケース５００が前記リアケース４００と対向し結合すると、前記第１４乃至第１６突起５３１、５３２、５３３は前記第１乃至第３固定溝４１１ａ、４１２ａ、４１３ａに各々挿入される。この時、前記第１４及び第１６突起５３１、５３２、５３３の高さは前記第１乃至第３固定溝４１１ａ、４１２ａ、４１３ａの高さと実質的に同じ高さに形成される。従って、前記第１４乃至第１６突起５３１、５３２、５３３が前記第１乃至第３固定溝４１１ａ、４１２ａ、４１３ａに収納されると、前記第１４乃至第１６突起５３１、５３２、５３３の一側壁が前記第７乃至第９固定溝４１１ｂ、４１２ｂ、４１３ｂの入口を遮断する。このようにして、前記液晶表示モジュール３００が前記リアケース４００の第８側壁４４０側に移動することが防止される。
【００６２】
図２０乃至図２５を参照し本発明の他の実施形態による液晶表示装置の液晶表示モジュール及びケースの組立構造を具体的に説明する。
【００６３】
図２０は本発明の他の実施形態による液晶表示装置の分解斜視図である。図２１は図２０に図示されたリアケースの構造を具体的に示した平面図であり、図２２は図２０に図示されたフロントケースの構造を具体的に示した平面図である。ただし、図２０の説明において、図２に図示された構成要素と同一の機能を実現する構成要素には同じ参照符号を併記し、その機能における説明は省略する。
【００６４】
図２０を参照すると、液晶表示装置９００は映像を表示するための液晶表示モジュール３００及び前記液晶表示モジュール３００をカバーするためのフロント及びリアケース８００、７００から成る。
【００６５】
前記モールドフレーム２００にバックライトアセンブリ３６０及びディスプレーユニット３１０が順次収納されると、ディスプレーユニット３１０の上部にトップシャーシ１００が提供される。前記トップシャーシ１００は、前記ディスプレーユニット３１０の有効ディスプレー領域を除外した残りの上部を取囲むようにカバーし、四つの側壁の内側が前記モールドフレーム２００の側壁の外側と各々対向するように前記モールドフレーム２００と結合される。
【００６６】
前記トップシャーシ１００の第１側壁１１０には、第１乃至第３突起１１１、１１２、１１３が形成され、第１側壁と対向する前記第２側壁１２０には第４乃至第６突起１２１、１２２、１２３が各々形成される。
【００６７】
図２１に示したように、前記リアケース７００は第９乃至第１２側壁７１０、７２０、７３０、７４０と一つの基底面７５０とにより構成される。前記リアケース７００の第９側壁７１０には、前記第９側壁７１０から所定高さに突出された第９乃至第１１突出部７１１、７１２、７１３が形成される。また、前記リアケース７００の第１０側壁７２０には、前記第１０側壁７２０から所定高さに突出された第１２乃至第１４突出部７２１、７２２、７２３が形成される。
【００６８】
前記第９乃至第１４突出部７１１、７１２、７１３、７２１、７２２、７２３には、前記リアケース７００の第９及び第１０側壁７１０、７２０の上端から前記リアケース７００の基底面７５０に向かう第１５乃至第２０固定溝７１１ａ、７１２ａ、７１３ａ、７２１ａ、７２２ａ、７２３ａが各々形成される。
【００６９】
図２２を参照すると、前記フロントケース８００は前記リアケース７００上に前記液晶表示モジュール３００が収納された後に、前記リアケース７００と対向し結合される。前記リアケース７００の第９側壁７１０側に位置する前記フロントケース８００の第５上部面８１０には、フロントケース８００がリアケース７００と結合されたときに前記リアケース７００の基底面７５０に向かうように所定高さに突出された第２０乃至第２２突起８１１、８１２、８１３が形成される。また、前記リアケース７００の第１０側壁７２０側に位置する前記フロントケース８００の第６上部面８２０には、、フロントケース８００がリアケース７００と結合されたときに前記リアケース７００の基底面７５０に向かうように所定高さに突出された第２３乃至第２５突起８２１、８２２、８２３が形成される。前記第２０乃至第２５突起８１１、８１２、８１３、８２１、８２２、８２３は、前記リアケース７００の第９及び第１０側壁７１０、７２０と各々対向し結合する前記フロントケース８００の側壁から前記第９及び第１０側壁７１０、７２０の厚さに相当する距離だけ離隔して形成される。
【００７０】
図２３及び図２４は図２０に図示されたトップシャーシとリアケースとの結合過程を具体的に示した切開斜視図であり、図２５は図２０に図示されたトップシャーシ、リアケース及びフロントケースが結合された状態を示した断面図である。
【００７１】
図２３及び図２４を参照すると、前記リアケース７００の第９側壁７１０に形成された前記第１０突出部７１２は前記第９側壁７１０の上端から前記リアケース７００の基底面７５０に向かうように形成された第１６固定溝７１２ａを有する。
【００７２】
前記リアケース７００の第９側壁７１０と対向する前記トップシャーシ１００の第１側壁１１０には、トップシャーシ１００がリアケース７００に収容されたときに前記リアケース７００の第９側壁７１０に向かうように所定高さに突出された第２突起１１２が形成される前記第２突起１１２は前記トップシャーシ１００の第１側壁１１０を前記リアケース７００の基底面７５０と平行に切れ目を入れ、切れ目を入れた部分が、トップシャーシ１００がリアケース７００に収容されたときに前記リアケース７００の第９側壁７１０に向かうように突出するように形成される。
【００７３】
前記トップシャーシ１００が前記リアケース７００に収納されると、前記トップシャーシ１００の第２突起１１２は前記リアケース７００の第１６固定溝７１２ａに挿入される。
【００７４】
図２５を参照すると、前記リアケース７００に前記液晶表示モジュール３００が収納されると、その上に前記リアケース７００と対向し結合される前記フロントケース８００が提供される。この時、前記フロントケース８００の第５上部面８１０から突出された第２０乃至第２２突起８１１、８１２、８１３が前記第１５乃至第１７固定溝７１１ａ、７１２、７１３ａに挿入される。即ち、前記第１５乃至第１７固定溝７１１ａ、７１２ａ、７１３ａは前記トップシャーシ１００の第１乃至第３突起１１１、１１２、１１３の高さと前記第２０乃至第２２突起８１１、８１２、８１３の高さとの和に相当する深さを有する。
【００７５】
従って、前記フロントケース８００の第２０乃至第２２突起８１１、８１２、８１３が前記トップシャーシ１００の第１乃至第３突起１１１、１１２、１１３を加圧することにより、前記液晶表示モジュール３００が前記リアケース７００から離脱することを防止することができる。
【００７６】
図２６乃至図３４を参照して本発明の更に他の実施形態による液晶表示装置の液晶表示モジュール及びケースの組立構造を具体的に説明する。
【００７７】
図２６は本発明の更に他の実施形態による液晶表示装置の分解斜視図である。図２７は図２６に図示されたトップシャーシの構造を具体的に示した平面図であり、図２８は図２６に図示されたトップシャーシの構造を具体的に示した部分斜視図である。図２９及び図３０は図２６に図示されたトップシャーシの側面図である。
【００７８】
図２６を参照すると、液晶表示装置１６００は映像を表示するための液晶表示モジュール１３００及び前記液晶表示モジュール１３００をカバーするためのフロント及びリアケース１５００、１４００から成る。
【００７９】
前記液晶表示モジュール１３００において、モールドフレーム１２００にバックライトアセンブリ及びディスプレーユニットが順に収納されると、前記ディスプレーユニットの上部にトップシャーシ１１００が提供される。トップシャーシ１１００は全体として矩形に形成されており、その断面はＬ字形状に形成される。このようなトップシャーシ１１００は、前記ディスプレーユニットの有効ディスプレー領域を除外した残りの上部を取囲むようにカバーし、四つの側壁の内側が前記モールドフレーム１２００の側壁の外側と各々対向するように前記モールドフレーム１２００と結合される。
【００８０】
図２７乃至図３０に図示されたように、前記トップシャーシ１１００は第１３乃至第１６側壁１１１０、１１２０、１１３０、１１４０を有する。前記トップシャーシ１１００の前記第１３側壁１１１０には所定高さに突出された第２６乃至第２８突起１１１１、１１１２、１１１３が形成され、前記トップシャーシ１１００の前記第１３側壁１１１０と対向する第１４側壁１１２０には、所定の高さに突出された第２９乃至第３１突起１１２１、１１２２、１１２３が形成される。また、前記トップシャーシの第１５側壁１１３０には所定高さに突出された第３２及び第３３突起１１３１、１１３２が形成される。前記第２６乃至第３３突起１１１１、１１１２、１１１３、１１２１、１１２２、１１２３、１１３１、１１３２は、前記トップシャーシ１１００の第１３乃至第１５側壁１１１０、１１２０、１１３０の所定部分に切れ目を入れた後、その部分を突出させることにより形成される。
【００８１】
この時、前記第２７及び第３１突起１１１２、１１１３、１１２２、１１２３は前記リアケース４００の基底面１４５０と平行に延びて形成され、前記フロント及びリアケース１５００、１４００側から、半円形、台形又は矩形の形態を有し、望ましくに台形の形態を有する。一方、前記トップシャーシ１１００の第２６及び第２９突起１１１１、１１２１は前記リアケース１４００の基底面１４５０と垂直に延びて形成され、台形の形態を有する。
【００８２】
図３１は図２６に図示されたリアケースの構造を具体的に示した部分切開斜視図である。
【００８３】
図２６及び図３１を参照すると、前記リアケース１４００は第１７乃至第２０側壁１４１０、１４２０、１４３０、１４４０及び第１７乃至第２０側壁１４１０、１４２０、１４３０、１４４０より取囲まれた基底面１４５０によりなる。前記リアケース１４００の前記基底面１４５０と対向する面は開口されている。この時、前記トップシャーシ１１００の第１３側壁１１１０と対向し結合される前記リアケース１４００の第１７側壁１４１０には、前記第１７側壁１４１０から所定高さに突出された第１５及び第１６突出部１４１２、１４１３が形成される。前記トップシャーシ１１００の第１４側壁１１２０と対向し結合される前記リアケース１４００の第１８側壁１４２０には、前記第１８側壁１４２０から所定高さに突出された第１７及び第１８突出部１４２２、１４２３が形成される。
【００８４】
前記第１５乃至第１８突出部１４１２、１４１３、１４２２、１４２３には、前記リアケース１４００の第１７及び第１８側壁１４１０、１４２０の上端から前記リアケース１４００の基底面１４５０に向かう第２１乃至第２４固定溝１４１２ａ、１４１３ａ、１４２２ａ、１４２３ａが、各々形成される。また、前記第１５乃至第１８突出部１４１２、１４１３、１４２２、１４２３には、前記リアケース１４００の基底面１４５０と平行で、第２１乃至第２４固定溝１４１２ａ、１４１３ａ、１４２２ａ、１４２３ａから第１９側壁１４３０側に向かう第２５乃至第２８固定溝１４１２ｂ、１４１３ｂ、１４２２ｂ、１４２３ｂが、各々形成される。
【００８５】
一方、前記リアケース１４００の第１７及び第１８側壁１４１０、１４２０には、前記トップシャーシ１１００の第２６及び第２９突起１１１１、１１２１と各々対応し結合する第１及び第２固定突起１４１１、１４２１が各々形成される。前記第１及び第２固定突起１４１１、１４２１は、互いに対向する側壁に向かって所定高さに突出するように形成された支持部１４１１ａ、１４２１ａ、及び支持部１４１１ａ、１４２１ａの端部から前記第１９側壁１４３０側に延びて形成された胴体部１４１１ｂ、１４２１ｂにより構成される。前記胴体部１４１１ｂ、１４２１ｂの一側には、前記胴体部１４１１ｂ、１４２１ｂから突出して形成され、前記トップシャーシ１１００の第２６及び第２９突起１１１１、１１２１と噛み合うぶら下がり部（ｓｕｓｐｅｎｄｉｎｇ）１４１１ｃ、１４２１ｃが形成される。
【００８６】
胴体部１４１１ｂ、１４２１ｂは前記第１７及び第１８側壁１４１０、１４２０と所定距離を維持する。前記ぶら下がり部１４１１ｃ、１４２１ｃは前記リアケース１４００の第１９側壁１４３０側に進行するほど幅が広がるスロープ形状を有する。
【００８７】
一方、前記リアケース１４００の第１９及び第２０突出部１４３１、１４３２には、前記トップシャーシ１１００の第３２及び第３３突起１１３１、１１３２と各々対応し結合するための第２９及び第３０固定溝１４３１ａ、１４３２ａが各々形成される。
【００８８】
図３２は図２６に図示されたトップシャーシ及びリアケースが結合される前の状態を示す平面図であり、図３３は図３２のＢ部分を拡大した拡大図であり、図３４は図２６に図示されたトップシャーシ及びリアケースが結合された状態を示した平面図である。
【００８９】
図３２を参照すると、前記リアケース１４００に前記液晶表示モジュール１３００が収納されると、前記トップシャーシ１１００の第１３側壁１１１０に形成された第２７及び第２８突起１１１２、１１１３は前記リアケース１４００の第１７側壁１４１０に形成された第２１及び第２２固定溝１４１２ａ、１４１３ａに挿入される。また、前記トップシャーシ１１００の第１４側壁１１２０に形成された第３０及び第３１突起１１２２、１１２３は前記リアケース１４００の第１８側壁１４２０に形成された第２３及び第２４固定溝１４２２ａ、１４２３ａに挿入される。
【００９０】
一方、前記第２６及び第２９突起１１１１、１１２１は前記第１及び第２固定突起１４１１、１４２１の支持部１４１１ａ、１４２１ａとぶら下がり部１４１１ｃ、１４２１ｃとの間に位置する前記胴体部１４１１ｂ、１４２１ｂの一側部と接触される。
【００９１】
前記液晶表示モジュール１３００が前記リアケース１４００の第１９側壁１４３０側に移動すると、前記トップシャーシ１１００の第１３側壁１１１０に形成された第２７及び第２８突起１１１２、１１１３は前記リアケース１４００の第１７側壁１４１０に形成された第２５及び第２６固定溝１４１２ｂ、１４１３ｂに各々結合される。また、前記トップシャーシ１１００の第１４側壁１１２０に形成された第３０及び第３１突起１１２２、１１２３は前記リアケース１４００の第１８側壁１４２０に形成された第２７及び第２８固定溝１４２２ｂ、１４２３ｂと各々結合される。一方、前記第２６及び第２９突起１１１１、１１２１は図３３に図示されたように、前記胴体部１４１１ｂ、１４２１ｂの弾性により前記胴体部１４１１ｂ、１４２１ｂが前記リアケース１４００の第１７及び第１８側壁１４１０、１４２０側に各々傾くことにより、前記スロープ形態のぶら下がり部１４１１ｃ、１４２１ｃに乗って前記リアケース１４００の第１９側壁１４３０側に移動する。
【００９２】
図３４に示したように、前記第２６及び第２９突起１１１１、１１２１は前記ぶら下がり部１４１１ｃ、１４２１ｃが終る部分で前記胴体部１４１１ｂ、１４１２ｂと係合し、前記胴体部１４１１ｂ、１４２１ｂは復元力により前記第２６及び第２９突起１１１１、１１２１を支持する。このとき、前記第２６及び第２９突起１１１１、１１２１は前記ぶら下がり部１４１１ｃ、１４２１ｃに掛かることにより、前記液晶表示モジュール１３００が前記リアケース１４００の第１９側壁１４３０と対向する第２０側壁１４４０側に移動されることを防止することができる。
【００９３】
また、前記液晶表示モジュール１３００が前記リアケース１４００の第１９側壁１４３０側に移動すると、前記トップシャーシ１１００の第１５側壁１１３０に形成された第３２及び第３３突起１１３１、１１３２は前記リアケース１４００の第１９側壁１４３０に形成された第２９及び第３０固定溝１４３１ａ、１４３２ａと各々結合される。
【００９４】
従って、前記液晶表示モジュール１３００が前記リアケース１４００の開口された面に離脱することを防止することができる。
【００９５】
一方、図３４に示したように、前記リアケース１４００の前記第２０側壁１４４０と前記液晶表示モジュール１３００との間には、離隔空間（Ａ）が形成される。図示しないが、前記液晶表示モジュール１３００が前記離隔空間（Ａ）側に移動されることをさらに確実に防止するために、前記リアケース１４００の第２０側壁１４４０側と対応する前記フロントケース１５００の上部面には、前記離隔空間（Ａ）に挿入され結合されるための一つ以上の突起をさらに形成することができる。
【００９６】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００９７】
【発明の効果】
上述した液晶表示装置によると、前記液晶表示モジュールのトップシャーシには一つの突起が形成され、前記リアケースには前記一つ以上の突起と対応し結合するための固定部が形成される。
【００９８】
かつ、フロントケースの一側には前記液晶表示モジュール及びリアケースの間に挿入され前記液晶表示モジュールの移動を防止するための固定突起が形成される。だから、前記液晶表示モジュールは一つ以上の突起と一つ以上の固定部が結合されることにより、前記リアケースに固定され、また、前記固定突起によりさらに確実に固定される。
【００９９】
従って、前記液晶表示モジュール及びケースの結合力を向上させることができ、前記液晶表示モジュール及びケースを組立てるに用いられる部品数を節減して生産性を向上させることができる。
【図面の簡単な説明】
【図１】従来の液晶表示装置の実装構造を示した斜視図である。
【図２】本発明の望ましい一実施形態による液晶表示装置の分解斜視図である。
【図３】図２に図示されたトップシャーシの構造を具体的に示した平面図である。
【図４】図２に図示されたリアケースの構造を具体的に示した平面図である。
【図５】図２に図示されたフロントケースの構造を具体的に示した平面図である。
【図６】図５に図示されたフロントケースの切開斜視図である。
【図７】トップシャーシ及びリアケースが結合された状態を示した平面図である。
【図８】図７に図示されたトップシャーシ及びリアケースの結合構造をＣ１−Ｃ２に切断した断面図である。
【図９】図７に図示されたフロントケースが結合された状態を示した平面図である。
【図１０】トップシャーシ及びリアケースの結合過程を示した部分切開斜視図である。
【図１１】トップシャーシ及びリアケースの結合過程を示した部分切開斜視図である。
【図１２】トップシャーシ及びリアケースの結合過程を示した部分切開斜視図である。
【図１３】トップシャーシ及びリアケースの結合過程を示した断面図である。
【図１４】トップシャーシ及びリアケースの結合過程を示した断面図である。
【図１５】図７に図示されたトップシャーシ及びリアケースの結合構造をＡ１−Ａ２に切断した断面図である。
【図１６】図９に図示された液晶表示装置の結合構造をＢ１−Ｂ２に切断した断面図である。
【図１７】図２に図示されたフロントケースの他の実施形態を示した平面図である。
【図１８】図１７に図示されたフロントケースの結合構造を具体的に示した断面図である。
【図１９】図１７に図示されたフロントケースの結合構造を具体的に示した断面図である。
【図２０】本発明の他の実施形態による液晶表示装置を示した斜視図である。
【図２１】図２０に図示されたリアケースの構造を具体的に示した平面図である。
【図２２】図２０に図示されたフロントケースの構造を具体的に示した平面図である。
【図２３】図２０に図示されたトップシャーシとリアケースの結合過程を具体的に示した斜視図である。
【図２４】図２０に図示されたトップシャーシとリアケースの結合過程を具体的に示した斜視図である。
【図２５】図２０に図示された液晶表示装置の結合構造を示した断面図である。
【図２６】本発明のまた他の実施形態による液晶表示装置を示した斜視図である。
【図２７】図２６に図示されたトップシャーシの構造を具体的に示した平面図である。
【図２８】図２６に図示されたトップシャーシの構造を具体的に示した部分斜視図である。
【図２９】図２６に図示されたトップシャーシの側面図である。
【図３０】図２６に図示されたトップシャーシの側面図である。
【図３１】図２６に図示されたリアケースの構造を具体的に示した部分切開斜視図である。
【図３２】図２６に図示されたトップシャーシ及びリアケースが結合される前状態を示した平面図である。
【図３３】図３２のＢ部分を拡大した拡大図である。
【図３４】図２６に図示されたトップシャーシ及びリアケースが結合された状態を示した平面図である。
【符号の説明】
１００、１１００    トップシャーシ
２００、１２００    モールドフレーム
３００、１３００    液晶表示モジュール
３１０    ディスプレーユニット
３６０    バックライトアセンブリ
４００、１４００    リアケース
４５０    基底面
５００、１５００    フロントケース
６００、１６００    液晶表示装置
１１１０、１１２０、１１３０、１１４０    側壁
１１１１、１１１２、１１１３、１１１４    突起
１４１２、１４２２、１４１３、１４２３    突出部
【図１】
0004319371.tif 000002
【図２】
0004319371.tif 000003
【図３】
0004319371.tif 000004
【図４】
0004319371.tif 000005
【図５】
0004319371.tif 000006
【図６】
0004319371.tif 000007
【図７】
0004319371.tif 000008
【図８】
0004319371.tif 000009
【図９】
0004319371.tif 000010
【図１０】
0004319371.tif 000011
【図１１】
0004319371.tif 000012
【図１２】
0004319371.tif 000013
【図１３】
0004319371.tif 000014
【図１４】
0004319371.tif 000015
【図１５】
0004319371.tif 000016
【図１６】
0004319371.tif 000017
【図１７】
0004319371.tif 000018
【図１８】
0004319371.tif 000019
【図１９】
0004319371.tif 000020
【図２０】
0004319371.tif 000021
【図２１】
0004319371.tif 000022
【図２２】
0004319371.tif 000023
【図２３】
0004319371.tif 000024
【図２４】
0004319371.tif 000025
【図２５】
0004319371.tif 000026
【図２６】
0004319371.tif 000027
【図２７】
0004319371.tif 000028
【図２８】
0004319371.tif 000029
【図２９】
0004319371.tif 000030
【図３０】
0004319371.tif 000031
【図３１】
0004319371.tif 000032
【図３２】
0004319371.tif 000033
【図３３】
0004319371.tif 000034
【図３４】
0004319371.tif 000035